(57)【要約】【課題】長時間使用しても米粒が付かないしゃもじを考案する事、又家庭にあるラップヒルムを使用して、衛生的でかつ経済的で継続的に使用できるしゃもじを作ること。  【解決手段】柄と掬い部から成るしゃもじにおいて、掬い部に任意の大きさと形状の凹部を形成し、前記凹部の上を覆い、任意に開閉出来る押さえ蓋を持つしゃもじを作り、そのしゃもじの掬い部全体を、家庭用のラップヒィルムで覆い、包み端を全て凹部に入れて蓋をすることで米粒が付着するのを防ぐ。  【選択図】    図１
2009082326.tif 000002
【特許請求の範囲】
【請求項１】
柄と掬い部から成るご飯しゃもじにおいて、前記掬い部の内面あるいは外面に任意の大きさ形状になる凹部を形成し、前記掬い部に固定出来て、前記凹部の上を塞ぐ押さえ蓋を持つしゃもじを、家庭用ラップヒィルムを切り取り、前記掬い部全体と前記押さえ蓋を、ラップヒィルムで包み、前記ラップヒィルムの包み端の全て又はほとんどを集めて、前記凹部の中に入れこみ、前記押さえ蓋をして、使用する事を特徴とするしゃもじ。
【請求項２】
しゃもじ掬い部と押さえ蓋の全てを、ラップヒィルムで包み、前記ラップヒィルムの包み端の全部又はほとんどを前記凹部に集めて入れ込み、押さえ蓋をする事で、前記押さえ蓋がラップヒィルム包み端を押さえる力で生じる摩擦抵抗の力で、使用時の米粒と前記ラップヒィルムの摩擦抵抗を押さえ、前記ラップヒィルムが剥がれないことを特徴とする請求項１、記載のしゃもじ。
【請求項３】
柄と掬い部から成るご飯しゃもじにおいて、前記掬い部に任意の大きさ形状になる凹部を形成し、前記凹部の上を塞ぐ押さえ蓋が、しゃもじ本体の掬い部に取り付けられて開閉出来る事を特徴とする請求項１、２記載のしゃもじ。
【請求項４】
前記凹部の上を塞ぐ前記押さえ蓋を閉じた時、前記押さえ蓋の外面としゃもじ本体の外面が平面状に、一体になるように前記押さえ蓋を取り付けたことを特徴とする請求項１、２３記載のしゃもじ。
【発明の詳細な説明】
【技術分野】
【０００１】
本発明は、ご飯しゃもじに関する発明である。
【背景技術】
【０００２】
従来のご飯しゃもじは、表面に凹凸を付けたり、フッソ樹脂加工し米粒が付かないようにするものがありました。又しゃもじの真ん中に穴をあけ米粒が付かないようにしたものがあります。しかしこれらは、時間をあけて盛りつけるとどうしても米粒が付いてしまい、又加工した部分が長い間の使用でとれて、ご飯粒が付きやすくなります。その為容器の端にしゃもじをこすって米粒を落としたり、その都度しゃもじを洗って使用する必要があります。又しゃもじのすくい部にポリ塩化ビニデリンやポリエチレンの被膜層を形成するという出願がありましたが、いずれも具体的な方法が示されていないので、実用には至りません。又樹脂製の袋で包みこんで、留める物がありますが、袋を購入する必要があり、留め具で留めても米粒の粘着力は強く剥がれてしまう事があります。
【特許文献１】特開２００６−３１４６９１
【特許文献２】特願２００４−３８５９８
【特許文献３】特願２００３−２８８３１６
【特許文献４】特開２００２−１９１５１３
【特許文献５】特願２０００−１５４４４８
【特許文献６】実開平７−２７４３５
【特許文献７】実登３００６９０７
【発明の開示】
【発明が解決しようとする課題】
【０００３】
家庭にあるラップヒルムを使用して、長時間使用しても米粒が付かないで、衛生的でかつ安価で継続的に使用できるご飯しゃもじを考案する事。
【課題を解決するための手段】
【０００４】
柄と掬い部から成るご飯しゃもじにおいて、掬い部の内面又は外面に任意の大きさ形状になる凹部を形成し、前記凹部の上を覆い、掬い部に固定出来て任意に開閉出来る押さえ蓋を持つしゃもじにおいて、掬い部全体と押さえ蓋を、家庭用ラップヒィルムで包み、ラップヒィルムの包み残り端を凹部に入れ込み、押さえ蓋を閉じて使用する。押さえ蓋はしゃもじ本体に固定出来て、蓋を閉じた時前記凹部全体を覆い、かつ凹部に空間が出来るように固定され、凹部はしゃもじ本体を突き抜けないで底があるように製造する。
【０００５】
掬い部と押さえ蓋の全てを小幅の家庭用ラップヒィルムで包み、前記ラップヒィルムの包み端を全て又はほとんどを凹部に集めて押さえ入れ、蓋をする事で、前記凹部を形成してなる掬い部全体がラップヒィルムに密着して包まれ、掬い部の表面に凹凸が出来ず、 押さえ蓋をする事で摩擦抵抗を大きくし、ラップヒィルムが容易に剥がれないように止める働きをする。米粒の粘着力はとても強いので、米粒と前記ラップヒィルムの摩擦抵抗より、前記押さえ蓋がラップヒィルム包み残り端を押さえる力で生じる摩擦抵抗を大きくすることで、前記ラップヒィルムが剥がれないようにする。押さえ蓋は、ラップヒィルムを皺なく包むように固定する働きもする。
【０００６】
柄と掬い部から成るご飯しゃもじにおいて、前記掬い部に任意の大きさ形状になる凹部を形成し、前記凹部の上を覆う押さえ蓋が、しゃもじ本体の掬い部に取り付けられて開閉出
来る様にすることで、１枚のラップヒィルムで蓋としゃもじ掬い部全体を包み込む事ができる。押さえ蓋を、てこの支点のようにしてラップヒィルムを引っ張って包む事で皺なく包める。押さえ蓋を着脱出来る様に製造する事もできる。押さえ蓋の取り付け方次第で、包みやすくなる。蓋が９０度位開く様に製造すれば包むのが簡単にできる。
【０００７】
掬い部の凹部の上を覆う押さえ蓋を閉じた時、押さえ蓋の外面としゃもじ本体の外面が平面状に一体になるように蓋を取り付けることで、ラップヒィルムで包んだ時しゃもじ表面にしわが出来ず、又しゃもじ本体も凹凸がないので米粒が付きにくい。
【発明の効果】
【０００８】
このしゃもじでご飯のもりつけを繰り返しても、米粒がしゃもじに付かない。ラップヒィルムを重ねて取り付けると、連続して使用するときに順次剥がして使用でき便利である。またしゃもじを洗う回数を減らせる。ラップヒィルムを付けたまま、水洗いをすると、すぐにきれいになり、水の使用量を減らせる。ラップヒィルムはどこの家庭にもあり、手軽で経済的である。
【発明を実施するための最良の形態】
【０００９】
柄と掬い部から成るしゃもじにおいて、掬い部の外面に凹部を作る。凹部の形状はしゃもじの形状に沿ってなる楕円、又は爪状の形が適当と思える。大きさは、しゃもじ掬い部の形状をなす輪郭線から５〜１０mm内側をなどる形で、掬い部と柄部の境あたりまで凹部の
端が来るように作ると、ラップヒィルムで包む時、掬い部全体がラップヒィルムに包まれ、ラップヒィルムの包み端が凹部に全部入って包みやすい。ラップヒィルムの包み端を凹部に全部入れて蓋をしないとラップヒィルムが剥がれて外れてしまうので、凹部の上を覆う押さえ蓋が必要である。押さえ蓋は閉じたとき凹部のラップヒィルムを押しつけて固定出来るように製作する。
【００１０】
掬い部と蓋の全てを家庭用ポリ塩化ビニデリン又はポリエチレンのラップヒィルムで包み、前記ラップヒィルムの包み端を全て凹部に集めて押さえ蓋をする事で、米粒が付かないしゃもじが出来る。ラップヒィルムは物が付きにくいのに、ラップヒィルム同士はとてもくっつきやすい性質のため、凹部に包み端を順番に折り畳んでいくことでラップヒィルムは接着し、押さえ蓋をする事でラップヒィルムが押しつけられて固定され、剥がれにくくなる。そのため盛りつけや、かき回す動作を繰り返してもラップヒィルムは剥がれない。これは、米粒とラップヒィルムの摩擦抵抗より、ラップヒィルムの包み端の接着力と押さえ蓋の押さえる力のほうが大きい事を示す。
【００１１】
凹部の上を覆う押さえ蓋は、しゃもじ本体の掬い部に取り付けられ、開閉出来ると、１枚のラップヒィルムで掬い部全体と押さえ蓋の両方を一緒に包み込む事が出来る。押さえ蓋を取り外せる形にすると、しゃもじを包むラップヒィルムと押さえ蓋を包むラップヒィルムが必要になる場合と、１枚のラップヒィルムで包める場合がある。蓋の取り付け方法は、押さえ蓋の一部を固定し、任意に開閉出来るようにするとよい。押さえ蓋を閉じたとき開かないように、固定した以外の部分で、押し込むか、挟むか、差し込むか、又は止めるようにして、蓋の外面に凸が出来ないようにしゃもじ本体に固定し止められると米粒が付かない。
【００１２】
凹部の上を覆う押さえ蓋は、蓋を閉じたときしゃもじ掬い部の外面全体に凹凸が出来ない様に取り付ける。それには凹部の中に押さえ蓋を固定する部分を設け、押さえ蓋を閉じたとき、蓋の外面としゃもじ全体の外面が平面状に、一体になるようにすると良い。又は、しゃもじ掬い部外面に切りかけ状に連結されて蓋をなす部分を作ることで蓋をしても外面に凹凸ができない。蓋をしたとき、凹部にはラップヒィルムの端を押し込む空間が残されるように製作する。
【００１３】
しゃもじ凹部と押さえ蓋は、ラップヒィルムを三枚取り付けられるように、蓋部の外輪が凹部の外輪と同形でかつ少し小さく作ることで、ラップヒィルムの厚さを考慮し、凹凸を出来るだけ小さく出来るので、米粒が付きにくい。本来ラップヒィルムの作用で、米粒は付かないが、一時的に付着しても、軽くさわる事ですぐに剥がれ落ちる。その為、あらかじめ、３枚ほどのラップヒィルムでしゃもじを包み込んでおくと、次々とラップヒィルムを剥がしながら使用できる。米粒を全部落としてそのままの状態で水洗いをして保存し、次回使用するときはラップヒィルムを一枚剥がして又直ぐに使用出来る。
【実施例１】
【００１４】
以下、本発明の実施の形態を図面にもとずいて説明する。
図１はしゃもじ背面部に、凹部３を設けた図です。７は掬う部分を示します。２は柄の部分です。４の押さえ蓋を６の留め具でしゃもじ本体に固定し、凹部３を覆うようにして、使用します。５は押さえ蓋に付いた留め具の片方で、９の留め具に差し込んで、抜けないようにします。４の押さえ蓋をしたとき、凹部３にはラップヒィルムの包み端を入れ込む空間があるようにつくります。しゃもじ本体の製作は、木や樹脂でよく、型抜きしたり、２層に分けて接着する方法があります。４の蓋部分を本体から取り外せるように製作する事も出来ますがラップヒィルムを２枚使用し、又包みにくいと思います。
【００１５】
図２はしゃもじ背面の凹部３を４の押さえ蓋で覆って止めた図です。この状態で、しゃもじ背面と、押さえ蓋の外面は、平面状に一体になり、普通のしゃもじとして使用できます。そのために蓋の素材はしゃもじ本体と同じで、硬質の物が適していると思います。凹部３のへこみは２の柄部分と掬い部１の境の少し手前まで必要です。又しゃもじの形状に沿って五〜一〇mm内側に設けると、ラップヒィルムの包み端がよく収まり、７の掬い部内面
にしわが出来ません。
【００１６】
一枚の厚みのある板状の樹脂又は木をしゃもじの形状に切り取り、掬う部分に凹部３のような切りかけ又は切り抜きを作り、切りかけ部分又は切り抜き部分を押さえ蓋にして、蓋を固定する部分を付け、それを市販のしゃもじの背部分に貼り付けるか接着すると、このしゃもじと同様の働きをします。市販のご飯しゃもじの掬う部分は、最大幅が八．五cm長
さが一二cm位のものです。形状は二パターンで先が丸い物と、平らな物があります。それ
ぞれのしゃもじの形状に沿うようにして製作すると、今使用しているしゃもじに取り付けてラップヒィルムで包んで使用することができます。
【００１７】
図３はラップヒィルム８でしゃもじ掬い部１全体を包む図です。ラップヒィルム８を二〇cm位切り取り、それを敷き、その真ん中あたりの上に、しゃもじ掬い部１の背面、凹部３
を上にして置きます。しゃもじ柄部分との境にラップヒィルムの包み端１０ａがくるように置きます。そうすることで、しゃもじのカーブでラップヒィルムが止まり、ラップヒィルムの包み端１０ａ、１０ｂが凹部３で重なり合ってよく包み込めます。ラップヒィルム同士はとてもくっつきやすいので、掬い部の表面７のラップヒィルムはぴんと張られて皺ができない。使用するラップヒィルムの大きさは、掬う部分の横幅の二倍＋四cmと、長さ
は立て幅の二倍＋三cm位が理想です。                                              
【００１８】
押さえ蓋４は９０度位開くと、つつむ作業がし易い。しゃもじ掬い部を包むラップヒィルムの大きさは幅２０cmで長さが２２cm位でよく、市販の２２cm幅のラップヒィルムが最適
と思います。この大きさのラップヒィルムを使用すると経済的で且つ衛生的です。ご飯を通常１日３回大勢に盛りつける場合、米粒が多量に付き、米粒は少し時間がたつと堅くなるので、水にしゃもじを入れておくか、しゃもじを交換する必要があります。水に漬けてあると不潔な感じがし、何度も洗う作業は手間と水を多量に使用するので、忙しいところでは大変な作業であり、ラップヒィルムを使用すると水道料と手間を減らす事ができる。      
【００１９】
最初にラップヒィルムの１０ａ、１０ｂを重ねて包み、次に１１ａ、１１ｂを押さえ蓋に引っかけて引くようにして凹部３に重ね入れて、最後に押さえ蓋を残ったラップヒィルムで包んで包み端ごと凹部にいれて押さえ蓋をします。包み端は全部凹部に押入れ、表面は全部ラップヒィルムで包まれます。このとき、押さえ蓋の留め具５はラップヒィルム包み端をおしながら９の受け部に固定するようになります。
【００２０】
図４はラップヒィルム８で包まれたしゃもじの掬い部７を示し、表面に皺が全く出来ないことを示します。これは、ラップヒィルムがしゃもじに密着している事を示します。しゃもじ本体が湾曲していてもラップヒィルムは平面に張れ、ご飯を盛ってもそのままの状態を維持します。ラップヒィルムの包み端が柄との境まであり、掬い部７全体を覆えるのは、凹部３が柄の近くまであり、しゃもじ掬い部を形成する曲線に合わせてラップヒィルムを畳み込んで包めるためです。ラップヒィルムの作用により、米粒は付きません。また一時的に付いても、触れると直ぐに落ちてしまうので、米粒は残りません。表面に皺がないので、皺の間に米粒が挟まる事がなく、使用できます。
【００２１】
ご飯を炊いて、五〇回普通のしゃもじで盛りつけると、特にしゃもじの裏に多量の米粒が付着し、付いた米粒は器の端でこすってもなかなか取れないので洗ってきれいにするしかありません。又少量の盛りつけでも五分位間があくと、粘りけがでて、次にそのまま盛りつけると多量の米粒がつきます。付いた米粒はなかなか取れないので洗います。発明のしゃもじで、五〇回盛りつけると米粒は１時的に少し付きますが、作業をしてる内に自然とおちて、最後についた米粒もご飯に触るようにすると取れて落ちます。ラップヒィルムの表面はかさばりますが、米粒は残りません。そのしゃもじを、ラップヒィルムが付いたまま、水洗いする事も出来、簡単に表面がきれいになります。そのまま保存し、直ぐ使用できます。
【００２２】
図５はラップヒィルムで掬い部全体を包み込んで、押さえ蓋をした掬い部の背面です。１０ａ、１０ｂ、１０ｃは凹部３に包み入れたラップヒィルムの端を示します。１２は、ラップヒィルムの皺を示します。１２ａはすじを示します。しゃもじは曲線のため、形状に沿って包むとき、どうしても皺ができます。この皺は密に寄った短い皺で、間に米粒が入り込むような皺ではありません。ラップヒィルムの性質上、皺はくっついて平らになります。又しゃもじの先端部分に近いのでよく動かすので自然とおちて米粒は付かないです。このとき、押さえ蓋の外面としゃもじ本体の外面が平面状になるようにラップヒィルム包み端をできるだけ押しつけて入れ込みます。
【００２３】
ラップヒィルムで普通のしゃもじを包む場合、まずかなり大きいラップヒィルムが必要です。包んでも、止めるところがないと、かき混ぜたり盛りつけたりすると米の粘着力ですぐラップヒィルムは剥がれてしまいます。ラップヒィルムを柄の部分で止めるようにして包んでも、しゃもじ曲線の形状に沿うように包み、かつ掬い部に凹凸がないように包むことはできません。その為、おおきなラップヒィルムの出っ張りや、隙間や襞が出来て、そこに米粒が挟まったり、付いたりしてしまいます。すると、ラップヒィルムがだんだん重くなり結果的に剥がれてしまいます。
【００２４】
発明のしゃもじは、ラップヒィルムの包み端を全部凹部に入れ込んでも、表面に米粒が挟まるほどの皺がほとんど出来ないで、しゃもじに密着させて包む事が出来るので、米粒が付かないで連続使用出来るのが特徴です。また使用するラップヒィルムの量が少しでいいのも特徴です。かき混ぜや盛りつけ作業を繰り返してもラップヒィルムが剥がれないのは、しゃもじに密着したラップヒィルムが摩擦抵抗を弱め、かつ包んだラップヒィルムの粘着性と蓋をすることで、押さえ蓋の押しつける力が、ラップヒィルムを剥がそうとする米粒との摩擦抵抗を押さえるためです。
【００２５】
ラップヒィルムの使用量は少量でよく、幅２０cm位ですみます。市販のご飯しゃもじは、
その掬い部の大きさは最大幅８．５cm、長さ１２cm程度ですから、包み端が重なって凹部
に収まる幅があれば十分です。ラップヒィルムはその作用により米粒や、液状のジャム、みそ、たれ、煮物なども付かないので、このしゃもじの利用法は広がります。又ラップヒィルムを取り付けない時は、押さえ蓋を閉じて普通のしゃもじとして使用できます。
【００２６】
図６は押さえ蓋を、凹部輪郭よりやや小さめにして、取り外せる様に製作したものです。これは、ラップヒィルムを複数枚取り付ける場合に、ラップヒィルムの厚さを考慮しての製造です。しかし、ラップヒィルムは薄いので、数mmのはばを空けるだけでよいです。
これは、ラップヒィルムを複数枚取り付ける場合に、ラップヒィルムの厚さを考慮しての製造です。しかし、ラップヒィルムは薄いので、数mmのはばを空けるだけでよいです。
１３は蓋に開けた穴で押さえ蓋を取り出すときに手を掛けて持ち上げるための穴です。掬い部はラップヒィルムで覆われて平面上になっているので、押さえ蓋をなかなか開けられません。その為にこの穴が必要です。１６は蓋についた出っ張りで、１のしゃもじ本体にある、へこみに差し込みます。これで、蓋を固定します。                                                         
【００２７】
図７は押さえ蓋を凹部輪郭よりやや小さめにして、取り外せる様に製作した、蓋としゃもじの断面図です。押さえ蓋の１８と１９の曲線は、凹部の２０と２１にはまりこんでかつラップヒィルムを押さえて固定出来る隙間があります。隙間があることで、そこに複数枚のラップヒィルムを挟んでも、押さえ蓋が持ち上がらないで、しゃもじの外面は平面上に一体になり凹凸が出来にくくなります。２３の長さはしゃもじ２０ａと２０ｂの長さより短く製作します。２２は押さえ蓋を受け止める出っ張りです。これにより、蓋が固定されます。
【００２８】
図８は、取り外せる押さえ蓋を示し、１４は差し込み部分を、１５は、押さえ蓋を固定する凸部を示し、図６の２１にある凹部にはめ込んで使用します。１３は蓋を取り外すための、穴です。この他にも、蓋を外す方法はあり、蓋に通常は平面上で、引くとつまみ部分が出来る物や、凸のあるもの、ふたの１部が欠けているものなど、いろいろ製作出来ます。
【００２９】
ご飯しゃもじは、使用して、すぐに洗わないと米粒が糊状になりなかなか落ちません。洗うためには、水道を流して１分位かかり、盛りつけたままにしておくと、堅くなりもっと時間が掛かります。家族が全員１度に食事が出来れば洗うのは、１回で済むが、ばらばらの時は何度も洗わないとなりません。このしゃもじは包む手間がありますが、包んでしまえばラップヒィルムを付けたまま、簡単に洗えて何度も使用できます。又包み方に慣れれば簡単に出来るので、その都度包み替えて清潔に使用できます。
【００３０】
もし掬い部にかぶせる袋を使用する場合は、袋を購入しなければなりません。家庭用ラップヒィルムはどこにもあるもので、主婦が包むのに便利で手軽な素材です。使用する幅も２０cmととても少ないので、経済的です。又、３枚のラップヒィルムをあらかじめ包んで
しまえば、連続して使用できます。食堂や、ホテルのバイキング時の使用、弁当屋さん、給食の盛りつけ、みそやさんの使用、又煮豆をかき混ぜるなど、ラップヒィルムは−６０〜＋１４０度の範囲に使用出来るので、しゃもじ本体を大きくしたりして、いろいろに利用できると思います。使用した後、ラップヒィルムを剥がすとまた直ぐに使用できるのが特徴といえます。
【図面の簡単な説明】
【００３１】
【図１】しゃもじ側面図
【図２】しゃもじ上方からの蓋をした図
【図３】ラップヒィルムで包む図
【図４】ラップヒィルムで包んだ掬う部分
【図５】ラップヒィルムで包み蓋をした図
【図６】押さえ蓋を凹部の輪郭より小さくし蓋開け部分を付けた図
【図７】押さえ蓋を凹部の輪郭より小さくし蓋開け部分を付けた図の断面図
【図８】取り外せる押さえ蓋の差し込みタイプの図
【符号の説明】
【００３２】
１・・・しゃもじ掬い部                ２・・・しゃもじ柄部
３・・・しゃもじに設けた凹部          ４・・・蓋
５・・・蓋の留め具                    ６・・・蓋固定部
７・・・しゃもじ掬い部内面            ８・・・ラップヒィルム
９・・・蓋の留め具の受け部           １０・・・ラップヒィルムの端
１１・・・ラップヒィルムの真ん中      １２・・・ラップヒィルムの皺
１３・・・蓋部分の穴                  １４・・・蓋の出っ張り
１５・・・固定方法の１つの出っ張り   １６・・・蓋の出っ張りの収まる凹部
１７・・・固定方法の１つの出っ張りの受け部 １８・・・押さえ蓋の曲線
１９・・・凹部内の押さえ蓋の曲線      ２０・・・しゃもじ部の曲線
２１・・・しゃもじ内部の曲線          ２２・・・押さえ蓋受け部
２３・・・押さえ蓋の内面
【図１】
2009082326.tif 000003
【図２】
2009082326.tif 000004
【図３】
2009082326.tif 000005
【図４】
2009082326.tif 000006
【図５】
2009082326.tif 000007
【図６】
2009082326.tif 000008
【図７】
2009082326.tif 000009
【図８】
2009082326.tif 000010